(57)【特許請求の範囲】
【請求項１】
バックホウ等のショベル機で使用する重機車両の起伏かつ屈折自在なアームの先端にアタッチメントとして取り付ける地雷処理装置であり、フレームによるアタッチメント本体の前側に掘削爪を設け、掘削爪の後方位置としてフレームの内方に固定、可動の両クラッシュボードによる挟みタイプのプレス処理機を配設し、プレス処理機の両側を飛散防止カバーで囲ったことを特徴とする地雷処理装置。
【請求項２】
アタッチメント本体でプレス処理機上方にガス抜き穴を設ける請求項１記載の地雷処理装置。
【請求項３】
掘削爪上方に電磁石を設ける請求項１または請求項２記載の地雷処理装置。
【発明の詳細な説明】
【技術分野】
【０００１】
本発明は、地中に埋設された地雷を強制的に爆破して処理する地雷処理装置に関するものである。
【背景技術】
【０００２】
現在、地球上の各地において、しばしば大規模な紛争が発生し、戦闘手段の１つとして地雷が使用されている。そして、停戦後に安全な通行等を確保するためには、地中に埋設された地雷を処理する必要がある。従来、地中に埋設された地雷を処理する場合、一般に、作業者が地雷探知器を支持し、歩きながら手動によって地雷探知器を操作して地雷の位置を確認したのち、地雷を爆破したり掘り起こしたりして回収するなどしている。
【０００３】
そこで、発明者は下記特許文献にも一例として示すように、先に、無限軌道車を利用してブルドーザタイプのものやショベルタイプのものを地雷掃討のために使用することにより、地雷掃討に伴う危険に曝されることなく、能率的に掃討を行なうことができるドラムカッター式地雷処理装置とチェーン式地雷処理装置について提案し、特許を取得した。
【特許文献１】特許第３１７７７３７号公報
【特許文献２】特許第４２４８５５９号公報
【０００４】
前記特許文献１はドラムカッター式地雷処理装置の１例を示すもので、バックホウ等のショベル機で使用する重機車両の起伏かつ屈折自在なアームの先端に、バケットに代えて回転ドラムの周面にカッタービットを植設し、深さ３０ｃｍ程度以上まで切削可能で、進行方向に対して反対側に排土可能なロータリーカッタードラムを取り付けたものである。
【０００５】
これらのドラムカッター式地雷処理装置によれば、アームの先端に回転式カッターを装備し、カッターを回転させながら旋回し、ブームアームを作動させ、荒地に生えているブッシュ、草等も切削粉砕すると同時に、さらに地表面下に埋設されている対人地雷をも一気に粉砕処理することができる。特に、高速で回転するロータリーカッターは回転ドラム周面にカッタービットを植設し、深さ３０ｃｍ程度まで切削可能なものなので、対人地雷が土中に埋もれていてもこれを掘り出し、カッタービットが地雷に接触すると打撃された対人地雷は変形し、内部の火薬系列が破壊されるとともに、電気回路が切断される。
【０００６】
次の歯（カッタービット）で対人地雷はロータリードラムカッター中に巻き込まれ、破壊される過程で爆破し、処理される。
【０００７】
処理された地雷は、ケース、蓋、電気回路基板に分かれて地上に排出され、進行方向に対して反対側に排土されるので、対人地雷の上に泥が被さりこれが埋まってしまうこともない。
【０００８】
前記特許文献２はチェーン式地雷処理装置の１例を示すもので、回転ドラムにチェーンを設け、チェーンを回転によって地面に叩きつけ、地中に埋まる地雷を爆発させるもので比較的大型な地雷についての処理として適する。
【０００９】
これらの特許文献２は、例えばブルドーザと同様に構成したクローラ走行体に、地雷を処理するための作業機として、多数のチェーンを備えたチェーン式地雷処理装置とチェーン式地雷処理装置によって爆破できなかった地雷を回収するための地雷回収手段であるレーキ回収装置を備えている。
【００１０】
このように、地雷には小型の対人用の地雷と比較的大型の対戦車地雷があり、また、地雷と同様な危険物として不発弾があり、バックホウ等のショベル系機械を使用するロータリーカッター式地雷処理装置は対人用の地雷に、ブルドーザと同様に構成したクローラ走行体であるトラクター系機械を使用するチェーン式地雷処理装置は対戦車地雷や不発弾など大型地雷に適するとされる。
【発明の開示】
【発明が解決しようとする課題】
【００１１】
地雷の種類には、最初の爆発で空中に飛び出し、二度目の爆発で殺傷する跳躍型の地雷がある。
【００１２】
第二次世界大戦でドイツ軍が用いたＳ−マインが代表的なものである対人地雷のカテゴリーの一つで、人などが圧力信管を踏んだり、それに連動したワイヤーロープに引っ掛かったりした時、地雷底部のスプリング、または跳躍用爆薬が作動し、高さ１．５ｍ程度まで跳ね上がってから地雷本体が炸裂し、金属球を飛び散らせて広範囲の人間を殺傷する。同じように金属球を飛散させるクレイモア地雷では地雷の正面部分に金属球などを配置することで危害範囲に指向性を持たせてあるが、跳躍地雷では全方向が危害範囲となる。
【００１３】
アメリカ軍のM16 APM、M2 APM、イギリス軍のMk.2、イタリア軍のヴァルマラ59/69、ソ連軍のOZM-3、ユーゴスラビア連邦軍のProm-1、イスラエル軍のNO12、陸上自衛隊の63式などがある。
【００１４】
現在では「対人地雷の使用、貯蔵、生産及び移譲の禁止並びに廃棄に関する条約」によって使用、開発、生産、貯蔵、保有、移譲が規制されているが、主要な生産／輸出国で批准している国が少ないために、今も世界中の紛争地帯で使用されている。
【００１５】
前記従来のロータリーカッター式地雷処理装置やチェーン式地雷処理装置ではこのように最初の爆発で空中に飛び出し、二度目の爆発で殺傷する跳躍型の地雷には対応できなかった。
【００１６】
ロータリーカッターやチェーンの打撃では跳躍型の地雷の最初の爆発で空中に飛び出すのを阻止することはできず、空中での二度目の爆発を引き起こしてしまうからである。
【００１７】
本発明の目的は前記従来例の不都合を解消し、プレスにより対象の地雷が最初の爆発で空中に飛び出す前に破壊することができるので、跳躍型の地雷にも対応できる地雷処理装置を提供することにある。
【課題を解決するための手段】
【００１８】
前記目的を達成するため請求項１記載の本発明は、バックホウ等のショベル機で使用する重機車両の起伏かつ屈折自在なアームの先端にアタッチメントとして取り付ける地雷処理装置であり、フレームによるアタッチメント本体の前側に掘削爪を設け、掘削爪の後方としてフレームの内方に固定、可動の両クラッシュボードによる挟みタイプのプレス処理機を配設し、プレス処理機の両側を飛散防止カバーで囲ったことを要旨とするものである。
【００１９】
請求項１記載の本発明によれば、バックホウ等のショベル機で使用する重機車両の起伏かつ屈折自在なアームの先端にアタッチメントとして取り付けるもので、必要位置に移動させて地雷または爆弾を捉え、プレス処理機で潰してフレーム内で破壊する。また、仮に爆破してもフレーム内の爆発室でのことであり、プレス処理機の両側は飛散防止カバーで囲われているので、破片が外部に飛散することはない。
【００２０】
特にプレス処理機はクラッシュボードという平板体により押し圧面積が広く、確実に地雷を捉え、挟み込むことができる。
【００２１】
また、地中に埋まっているものについては掘削爪を用いて地雷または爆弾を潰せるように掘り起こすことができる。
【００２２】
請求項２記載の本発明は、アタッチメント本体でプレス処理機上方にガス抜き穴を設けることを要旨とするものである。
【００２３】
請求項２記載の本発明によれば、仮に内部で爆発を惹起してもガス抜き穴により爆発時の高圧ガスを抜くことができる。
【００２４】
請求項３記載の本発明は、掘削爪上方に電磁石を設けることを要旨とするものである。
【００２５】
請求項３記載の本発明によれば、電磁石により破片を吸着して片付けることもでき、１台の装置で一貫した作業が可能となる。
【発明の効果】
【００２６】
以上述べたように本発明の地雷処理装置は、プレスにより地雷が最初の爆発で空中に飛び出す前に破壊することができるので、跳躍型の地雷にも対応できるものである。
【発明を実施するための形態】
【００２７】
図１は本発明の地雷処理装置の実施形態を示す側面図、図２は同上正面図で、地雷処理装置１は図４に示すようにショベル機で使用するクローラ等の重機車両３に設ける起伏かつ屈折自在なアーム４の先端にアタッチメントとして取り付けるもので、図中２はアタッチメントの本体部分となるフレームである。
【００２８】
前記起伏かつ屈折自在なアーム４はブーム、アーム、ブームシリンダ、アームシリンダ、バケットシリンダ等の部材で構成され、その先端にはアタッチメント側のピンの抱持間隔を可変とするネジハンドル式のスライド機構を組み込んだアタッチメント着脱装置を設けている。このアタッチメント着脱装置はアタッチメントのピンを抜かずに組み替えできるものでクイックヒッチと称せられる。
【００２９】
前記フレーム２は相互に間隔を有する左右壁により形成する中空体であり、上側面、前側面を覆い板により遮蔽してなる。
【００３０】
このフレーム２によるアタッチメント本体の前側に掘削爪５を設け（図示では３本を横並びにして）、さらに掘削爪５の上方に円形の電磁石６をその吸着面を前側にむけて設けた。
【００３１】
また、掘削爪５の後方位置としてフレーム２の内方に固定、可動の両クラッシュボード７、８による挟みタイプのプレス処理機９を配設し、さらにプレス処理機９の両側を飛散防止カバー１０で囲った。飛散防止カバー１０は鋼板であり、補強フレーム１０ａで補強される。
【００３２】
図３に示すように、プレス処理機９はクラッシュボード（固定）７とクラッシュボード（可動）８はともに押圧面を先端尖り状の波板とした洗濯板形状のものであり、波の頂点が刃７ａ，８ａとなりこれらが相互に噛み合うようになる。図５にその組合せの詳細を、図６にクラッシュボード（固定）７を、図７にクラッシュボード（可動）８を示す。
【００３３】
クラッシュボード（固定）７は縦向きにして歯を後ろ側に向けて設け、クラッシュボード（可動）８は一端を軸着した回転アーム１１に歯を前側に向けて設け、回転アーム１１の途中には油圧シリンダー１２のロッド１２ａの先端を軸着してリンクを形成する。
【００３４】
フレーム２内でこのプレス処理機９の設置場所を含めてその上方空間は爆発室１３として形成し、アタッチメント本体でプレス処理機９上方に爆発室１３から外側に抜けるガス抜き穴１４を多数の小孔の集合として設けた。
【００３５】
次に使用法について説明すると、先に述べたように本発明の地雷処理装置１は重機車両３の起伏かつ屈折自在なアーム４の先端にアタッチメントとして取り付けるものであり、アーム４はブームとアームを有し、ブームは旋回体の前部中央に上下方向に回転可能に取り付けられ、アームはブームの先端に前後方向に回転可能に取り付けられ、それぞれブームシリンダ及びアームシリンダによって回転駆動される。
【００３６】
したがって、図４に示すように重機車両２に乗り込んだオペレータは地雷処理装置１の位置をアーム４により自由に設定でき。図８に示すように地雷への位置合わせはオペレータ１５の運転席からの目視により行う。
【００３７】
図９に示すように地雷処理装置１を地雷１６の位置にあわせ、飛散防止カバー１０で地雷１６の周囲を覆った状態にする。
【００３８】
そして、プレス処理機９を作動させ、油圧シリンダー１２のロッド１２ａを伸長して回転アーム１１を回転ざせ、クラッシュボード７、８に地雷１６を挟み込んで、押し潰す。いわば、クラッシュボード７、８で地雷１６をかみ砕くイメージである。
【００３９】
本発明の地雷処理装置１処理対象となるのは、破片式対人地雷やクラスター爆弾であり、前者には跳躍型対人地雷ベルマラ６９  フラグメント１，２００個、ＴＮＴ４−６００ｇ（イタリア）が、後者にはクラスター爆弾ＢＬＵ９７（アメリカ）などがある。
【００４０】
本発明は地雷１６に対してこれを確認し、地雷１６を囲いこんでプレス処理するので、地雷１６が跳躍型対人地雷であっても最初の爆発で空中に飛び出す前に処理することが可能である。
【００４１】
また、地雷１６が地中に埋まっている場合には、図１０に示すように掘削爪５を用いて爆発を起こさないようにそって地上に掘り出し、その後、図９に示すようにプレス処理機９で押し潰す。
【００４２】
さらに、図１１に示すように地上に散乱している細かい金属片等の破片は電磁石６で吸着し、ダンプに積み込むなど破片を集積する場所まで運ぶ。
【図面の簡単な説明】
【００４３】
【図１】本発明の地雷処理装置１の実施形態を示す側面図である。
【図２】本発明の地雷処理装置１の実施形態を示す正面図である。
【図３】本発明の地雷処理装置１の実施形態を示す縦断側面図である。
【図４】重機車両に取付けた状態の側面図である。
【図５】プレス処理機の側面図である。
【図６】クラッシュボード（固定）の説明図である。
【図７】クラッシュボード（可動）の説明図である。
【図８】地雷への位置合わせを示す側面図である。
【図９】地雷処理の説明図である。
【図１０】地雷の掘り起こしの説明図である。
【図１１】破片処理の説明図である。
【符号の説明】
【００４４】
１…地雷処理装置                ２…フレーム
３…重機車両                    ４…アーム
５…掘削爪                      ６…電磁石
７…クラッシュボード（固定）    ８…クラッシュボード（可動）
７ａ，８ａ…刃
９…プレス処理機                １０…飛散防止カバー
１０ａ…補強フレーム            １１…回転アーム
１２…油圧シリンダー            １２ａ…ロッド
１３…爆発室                    １４…ガス抜き穴
１５…オペレータ                １６…地雷
【要約】
【課題】プレスにより対象の地雷が最初の爆発で空中に飛び出す前に破壊することができるので、跳躍型の地雷にも対応できる地雷処理装置を提供する。
【解決手段】バックホウ等のショベル機で使用する重機車両の起伏かつ屈折自在なアームの先端にアタッチメントとして取り付ける地雷処理装置１であり、フレームによるアタッチメント本体の前側に掘削爪５を設け、掘削爪５の後方位置としてフレーム２の内方に固定、可動の両クラッシュボード７，８による挟みタイプのプレス処理機９を配設し、プレス処理機９の両側を飛散防止カバー１０で囲った。
【選択図】図１【図１】
0005976888.tif 000002
【図２】
0005976888.tif 000003
【図３】
0005976888.tif 000004
【図４】
0005976888.tif 000005
【図５】
0005976888.tif 000006
【図６】
0005976888.tif 000007
【図７】
0005976888.tif 000008
【図８】
0005976888.tif 000009
【図９】
0005976888.tif 000010
【図１０】
0005976888.tif 000011
【図１１】
0005976888.tif 000012